(57)【要約】【課題】優れた利便性を確保できるとともに、記憶部を比較的小さな記憶容量とすることができる作業機の表示装置の提供。【解決手段】固定情報を常時表示可能な固定情報表示部４ａと可変情報を選択的に表示可能な可変情報表示部４ｂとを有する表示部４と、この表示部４に表示される情報を記憶する記憶部３とを備えた油圧ショベルの表示装置１において、記憶部３が、固定情報表示部４ａに表示される固定情報、例えば運転室３０内のオペレータが頻繁に確認しやすい固定情報を記憶する第１記憶エリア３ａと、可変情報表示部４ｂに表示される可変情報、例えばオペレータがメンテナンス時等の必要時に選択的に確認すれば済む可変情報を記憶する第２記億エリア３ｂとを含み、第２記憶エリア３ｂで記憶される可変情報は、第１記憶エリア３ａで記憶される固定情報に含まれる情報を除いた情報から成る構成にしてある。【選択図】図２
2011080259.tif 000002
【特許請求の範囲】
【請求項１】
固定情報を常時表示可能な固定情報表示部と可変情報を選択的に表示可能な可変情報表示部とを有する表示部と、この表示部に表示される情報を記憶する記憶部とを備えた作業機の表示装置において、
上記記憶部が、上記固定情報表示部に表示される上記固定情報を記憶する第１記憶エリアと、上記可変情報表示部に表示される上記可変情報を記憶する第２記億エリアとを含み、
上記第２記憶エリアで記憶される上記可変情報は、上記第１記憶エリアで記憶される上記固定情報に含まれる情報を除いた情報から成ることを特徴とする作業機の表示装置。
【請求項２】
請求項１に記載の作業機の表示装置において、
上記固定情報表示部で表示される上記固定情報は、選択的に表示可能な情報を含むことを特徴とする作業機の表示装置。
【請求項３】
請求項１に記載の作業機の表示装置において、
上記可変情報表示部に表示される画面は階層画面から成り、
最上階層画面を形成する基本画面の下階層画面が、詳細画面指示部が表示されるメニュー画面を含み、
上記メニュー画面の下階層画面が、上記メニュー画面の上記詳細画面指示部が指示されることによって詳細情報の項目を表示する詳細画面を含み、
上記詳細画面の下階層画面が、上記詳細画面の上記項目が指示されることによって、当該作業機で実施されている作業に関連する駆動情報である上記可変情報を表示するモニタリング画面を含むことを特徴とする作業機の表示装置。
【発明の詳細な説明】
【技術分野】
【０００１】
本発明は、固定情報を常時表示可能な固定情報表示部と可変情報を選択的に表示可能な可変情報表示部とを有する表示部を備えた油圧ショベル等の作業機の表示装置に関する。
【背景技術】
【０００２】
この種の従来技術として、特許文献１に示される表示装置がある。この従来技術に係る表示装置は、作業機の外観形状図等の固定情報が常時表示可能なサブウインド、すなわち固定情報表示部と、メンテナンス画面等によって作業機の駆動状態に関連する可変情報を選択的に表示可能な可変情報表示部とを有する表示部を備えた構成になっている。
【先行技術文献】
【特許文献】
【０００３】
【特許文献１】特開２００２−３３２６６６号公報
【発明の概要】
【発明が解決しようとする課題】
【０００４】
ところで、上述した特許文献１に示されるような固定情報表示部と可変情報表示部とを有する表示部を備えた表示装置にあって、固定情報表示部に、オペレータが頻繁に確認すべき情報を固定情報として表示させ、また、可変情報表示部に、常時確認する必要はないものの、メンテナンス時等において選択的に確認すべき情報を可変情報として表示させるようにすれば、優れた利便性を確保できる。このようなことを考えた場合、表示部に表示される情報を記憶する記憶部に、オペレータが頻繁に確認しやすい情報を固定情報として記憶させる第１記憶エリアと、オペレータが必要時に選択的に表示させれば済む情報を記憶させる第２記憶エリアとを設けることが考えられる。この場合に、第１記憶エリアで記憶される情報と第２記憶エリアで記憶される情報の中に同一の情報が含まれること、すなわち記憶部に同一の情報が混在することが起こり得る。このようなことを考慮すると、記憶部の容量を大きく設定しなければならず、当該表示装置の製作費が高くなることが懸念される。また、画面を形成する表示部を予め大きく設定しなければならず、当該表示装置の大型化を招くことが懸念される。
【０００５】
本発明は、上述した従来技術における実状からなされたもので、その目的は、優れた利便性を確保できるとともに、記憶部を比較的小さな記憶容量とすることができる作業機の表示装置を提供することにある。
【課題を解決するための手段】
【０００６】
この目的を達成するために、本発明に係る作業機の表示装置は、固定情報を常時表示可能な固定情報表示部と可変情報を選択的に表示可能な可変情報表示部とを有する表示部と、この表示部に表示される情報を記憶する記憶部とを備えた作業機の表示装置において、上記記憶部が、上記固定情報表示部に表示される上記固定情報を記憶する第１記憶エリアと、上記可変情報表示部に表示される上記可変情報を記憶する第２記億エリアとを含み、上記第２記憶エリアで記憶される上記可変情報は、上記第１記憶エリアで記憶される上記固定情報に含まれる情報を除いた情報から成ることを特徴としている。
【０００７】
このように構成した本発明は、記憶部が第１記憶エリアと第２記憶エリアとを有することから、第１記憶エリアに、オペレータが頻繁に確認しやすい情報を固定情報として記憶させておくことにより、固定情報表示部に記憶部の第１記憶エリアで記憶される固定情報を表示させることができ、第２記憶エリアに、オペレータが必要時に選択的に確認させれば済む情報を可変情報として記憶させておくことにより、可変情報表示部に記憶部の第２記憶エリアで記憶される可変情報を表示させることができ、優れた利便性を確保できる。また、記憶部の第１記憶エリアで記憶される情報と第２記憶エリアで記憶される情報とを異ならせることができる。すなわち、記憶部の第１記憶エリアと第２記憶エリアの中に同一情報が混在することを避けられる。これに伴って、記憶部を比較的小さな記憶容量とすることができる。
【０００８】
また、本発明は、上記発明において、上記固定情報表示部で表示される上記固定情報は、選択的に表示可能な情報を含むことを特徴としている。
【０００９】
また、本発明は、上記発明において、上記表示部に表示される画面は階層画面から成り、最上階層画面を形成する基本画面の下階層画面が、詳細画面指示部が表示されるメニュー画面を含み、上記メニュー画面の下階層画面が、上記メニュー画面の上記詳細画面指示部が指示されることによって詳細情報の項目を表示する詳細画面を含み、上記詳細画面の下階層画面が、上記詳細画面の上記項目が指示されることによって、当該作業機で実施されている作業に関連する駆動情報である上記可変情報を表示するモニタリング画面を含むことを特徴としている。
【発明の効果】
【００１０】
本発明は、表示部に表示される情報を記憶する記憶部が、固定情報表示部に表示される固定情報を記憶する第１記憶エリアと、可変情報表示部に表示される可変情報を記憶する第２記億エリアとを含み、第２記憶エリアで記憶される可変情報は、第１記憶エリアで記憶される固定情報に含まれる情報を除いた情報から成ることから、第１記憶エリアに記憶される固定情報及び第２記憶エリアに記憶される可変情報を適宜選定することにより、固定情報表示部に記憶部の第１記憶エリアで記憶される固定情報を常時表示させ、可変情報表示部に記憶部の第２記憶エリアで記憶される可変情報を選択的に表示させることができ、優れた利便性を確保できる。また、記憶部の第１記憶エリアと第２記憶エリアの中に同一情報が混在することを避けることができ、これに伴って、記憶部を比較的小さな記憶容量とすることができる。これにより、当該表示装置の製作費を安くすることができるとともに、画面を形成する表示部を小さく設定することができ、当該表示装置の小型化を実現させることができる。
【図面の簡単な説明】
【００１１】
【図１】本発明に係る表示装置の一実施形態が備えられる作業機の一例として挙げた油圧ショベルを示す側面図である。
【図２】図１に示す油圧ショベルに備えられる表示装置の一実施形態を示すブロック図である。
【図３】本実施形態に係る表示装置を示す正面図である。
【図４】本実施形態に係る表示装置に備えられる表示部に表示される画面の階層構造を示す図である。
【図５】本実施形態に係る表示装置の表示部で表示される基本画面を示す図である。
【図６】本実施形態に係る表示装置の表示部で表示されるメニュー画面を示す図である。
【図７】本実施形態に係る表示装置の表示部で表示されるモニタリング画面を示す図である。
【発明を実施するための形態】
【００１２】
以下、本発明に係る作業機の表示装置の実施の形態を図に基づいて説明する。
【００１３】
図１は本発明に係る表示装置の一実施形態が備えられる作業機の一例として挙げた油圧ショベルを示す側面図である。
【００１４】
本実施形態に係る表示装置が備えられる作業機、例えば油圧ショベルは図１に示すように、走行体２１と、この走行体２１上に設けられる旋回体２２と、この旋回体２２に取り付けられ、掘削作業等を行うフロント作業機２３とを備えている。フロント作業機２３は、旋回体２２に上下方向の回動可能に取り付けられるブーム２４と、このブーム２４の先端に回動可能に取り付けられるアーム２５と、このアーム２５の先端に上下方向の回動可能に取り付けられるバケット２６とを含んでいる。また、このフロント作業機２３は、ブーム２４を駆動するブームシリンダ２７と、アーム２５を駆動するアームシリンダ２８と、バケット２６を駆動するバケットシリンダ２９とを含んでいる。旋回体２２の前側位置には運転室３０が配置され、後側位置には重量バランスを確保するカウンタウエイト３１が配置され、運転室３０とカウンタウエイト３１との間には、エンジン及び複数の油圧ポンプが収容されるエンジン室３２が配置されている。
【００１５】
図２は図１に示す油圧ショベルに備えられる表示装置の一実施形態を示すブロック図、図３は本実施形態に係る表示装置を示す正面図である。
【００１６】
図２に示すように本実施形態に係る表示装置１は、図１に示す油圧ショベルの運転室３０に配置され、キー入力装置２と、記憶部３と、画面を形成する表示部４と、キー入力装置２の操作に応じて記憶部３に記憶されている情報を読み出し、表示部４に表示する制御・判定部５と、この制御・判定部５に接続された通信部６とを備えている。
【００１７】
図１に示す油圧ショベルに備えられる各種のセンサ７及びスイッチ８から出力される信号は、表示装置１の制御・判定部５に入力される。また、図１に示す油圧ショベルに備えられる情報記録装置９、エンジン制御装置１０、油圧制御装置１１のそれぞれから出力される信号は、表示装置１の通信部６を介して制御・判定部５に入力される。上述した情報記録装置９、エンジン制御装置１０、油圧制御装置１１、及び表示装置１の通信部６によって車体ネットワークが構成されている。
【００１８】
図３に示すように、表示装置１の画面を形成する表示部４は、例えば上側位置に固定情報を常時表示可能な固定情報表示部４ａを有し、この固定情報表示部４ａの下側位置に可変情報を選択的に表示可能な可変情報表示部４ｂを有している。
【００１９】
上述した表示装置１の記憶部３は、固定情報表示部４ａに表示される固定情報を記憶する第１エリア３ａと、可変情報表示部４ｂに表示される可変情報を記憶する第２エリア３ｂとを含んでいる。例えば、運転室３０内のオペレータが頻繁に確認しやすい情報を、固定情報として第１記憶エリア３ａに記憶させてあり、オペレータがメンテナンス時等の必要時に選択的に確認すれば済む情報を、可変情報として第２記憶エリア３ｂに記憶させてある。また、第２記憶エリア３ｂで記憶される可変情報は、第１記憶エリア３ａで記憶される固定情報に含まれる情報を除いた情報からなっている。
【００２０】
図４は本実施形態に係る表示装置に備えられる表示部に表示される画面の階層構造を示す図である。
【００２１】
表示装置１の表示部４に表示される画面は図４に示すような階層画面から成っており、最上階層画面を形成する基本画面Ｓ１の次の下階層画面が例えば、車体後方の映像が映されるバックモニタ画面Ｓ３と、メニュー画面Ｓ２とを含んでいる。また例えば、メニュー画面Ｓ２の次の下階層画面が、詳細画面Ｓ４、オプション画面Ｓ５、アタッチメント画面Ｓ６、及びメンテナンス画面Ｓ７を含んでいる。また、例えば、詳細画面Ｓ４の次の下階層画面が、モニタリング画面Ｓ８、設定画面Ｓ９、及び特殊画面Ｓ１０を含んでいる。表示部４に表示される画面は、このような階層構造に形成されている。
【００２２】
図５〜７は、本実施形態に係る表示装置の表示部で表示される画面を示す図で、図５は基本画面を、図６はメニュー画面を、図７はモニタリング画面をそれぞれ示している。
【００２３】
これらの図５〜７に示すように、表示部４の固定情報表示部４ａには、時刻表示部４ａ１、累積駆動時間表示部４ａ２、パワーモード表示部４ａ３、オートアイドルモード表示部４ａ４、走行モード表示部４ａ５、ライトモード表示部４ａ６、作業モード表示部４ａ７、エアコン関連情報表示部４ａ８、作動油温表示部４ａ９、及びエンジン回転数表示部４ａ１０が含まれている。このうち、時刻表示部４ａ１、累積駆動時間表示部４ａ２、パワーモード表示部４ａ３、オートアイドルモード表示部４ａ４、走行モード表示部４ａ５、ライトモード表示部４ａ６、作業モード表示部４ａ７、及びエアコン関連情報表示部４ａ８には該当する固定情報が常時表示されるようになっている。また、作動油温表示部４ａ９、及びエンジン回転数表示部４ａ１０には該当する固定情報が選択的に表示されるようになっている。表示部４ａ１〜４ａ１０に表示される固定情報は、上述したように表示装置１に備えられる記憶部３の第１記憶エリア３ａに記憶される。
【００２４】
図５に示す最上階層の画面である基本画面Ｓ１の可変情報表示部４ａには、背景表示部４ｂ１、水温表示部４ｂ２ａ、及び燃料残量表示部４ｂ２ｂが含まれている。図６に示すメニュー画面Ｓ２の可変情報表示部４ｂには、オプション画面指示部４ｂ３、アタッチメント画面指示部４ｂ４、及び詳細画面指示部４ｂ５が含まれている。図７に示すモニタリング画面の可変情報表示部４ｂには、図１に示す油圧ショベルで実施されている作業に関連する駆動情報である可変情報を表示する表示部、例えばエンジン室３２に収容される図示しない第１油圧ポンプの吐出圧に係る第１ポンプ圧力表示部４ｂ６、エンジン室３２に収容される図示しない第２油圧ポンプの圧力に係る第２ポンプ圧力表示部４ｂ７、フロント作業機３に備えられるブームシリンダ２７の圧力に係るブーム圧力表示部４ｂ８、フロント作業機３に備えられるバケットシリンダ２９の圧力に係るバケット圧力表示部４ｂ９、図示しない旋回モータの圧力に係る旋回圧力表示部４ｂ１０、及びフロント作業機３に備えられるアームシリンダ２８の圧力に係るアーム圧力表示部４ｂ１１が含まれている。
【００２５】
また、キー入力装置２には、各画面の切り替え、メニュー画面Ｓ２や詳細画面Ｓ４等における各指示部４ｂ３〜４ｂ５等に対する指示操作などに際して活用される複数のファンクションキー２ａ、メニュー画面Ｓ２へ切り替えるキー２ｂ、及びバックモニタ画面Ｓ３へ切り替えるキー２ｃが備えられている。
【００２６】
このように構成した本実施形態に係る表示装置１にあっては、運転室３０のオペレータが、基本画面Ｓ１を含め、基本画面Ｓ１の各下階層の画面である画面Ｓ２〜Ｓ１０の固定情報表示部４ａの時刻表示部４ａ１、累積駆動時間表示部４ａ２、パワーモード表示部４ａ３、オートアイドルモード表示部４ａ４、走行モード表示部４ａ５、ライトモード表示部４ａ６、作業モード表示部４ａ７、エアコン関連情報表示部４ａ８、作動油温表示部４ａ９、及びエンジン回転数表示部４ａ１０に表示される固定情報を、例えば常時確認することができる。
【００２７】
また、必要時には例えば図７に示すモニタリング画面Ｓ８の可変情報表示部４ｂの可変情報を選択的に確認することができる。この場合の画面操作は、図４の破線で示すものであり、例えば図５に示す基本画面Ｓ１に保持されている状態からキー入力装置２のキー２ｂが押される。これにより図６に示すメニュー画面Ｓ２が表示部４の可変情報表示部４ｂに表示される。オペレータが、このメニュー画面Ｓ２の可変情報表示部４ｂに表示される詳細画面４ｂ５の項目に指を触れると、図示しない詳細画面Ｓ４が表示部４の可変情報表示部４ｂに表示される。ここでオペレータが、この詳細画面Ｓ４の可変情報表示部４ｂに表示されるモニタリング画面Ｓ８の項目に指を触れると、図７に示すモニタリング画面Ｓ８が表示部４の可変情報表示部４ｂに表示される。オペレータは、このモニタリング画面Ｓ８の可変情報表示部４ｂに表示される可変情報を確認して、例えばメンテナンスを要するかどうか判断する。
【００２８】
このように構成した本実施形態に係る表示装置１によれば、記憶部３が第１記憶エリア３ａと第２記憶エリア３ｂとを有することから、上述したように第１記憶エリア３ａに、オペレータが頻繁に確認しやすい情報を固定情報として記憶させておくことにより、表示部４の固定情報表示部４ａに記憶部３の第１記憶エリア３ａで記憶される固定情報を表示させることができ、また、上述したように第２記憶エリア３ｂに、オペレータが必要時に選択的に確認させれば済む情報を可変情報として記憶させておくことにより、可変情報表示部４ｂに記憶部３の第２記憶エリア３ｂで記憶される可変情報を表示させることができ、優れた利便性を確保できる。また、記憶部３の第１記憶エリア３ａで記憶される情報と第２記憶エリア３ｂで記憶される情報とを異ならせることができる。すなわち、記憶部３の第１記憶エリア３ａと第２記憶エリア３ｂの中に同一情報が混在することを避けられる。これに伴って、記憶部３を比較的小さな記憶容量とすることができる。これにより、当該表示装置１の製作費を安くすることができるとともに、画面を形成する表示部４を小さく設定することができ、当該表示装置１の小型化を実現させることができる。
【符号の説明】
【００２９】
１    表示装置
２    キー入力装置
３    記憶部
３ａ  第１記憶エリア
３ｂ  第２記憶エリア
４    表示部
４ａ  固定情報表示部
４ｂ  可変情報表示部
５    制御・判定部
６    通信部
９    情報記録装置
１０    エンジン制御装置
１１    油圧制御装置
２１    走行体
２２    旋回体
２３    フロント作業機
３０    運転室
３２    エンジン室
【図１】
2011080259.tif 000003
【図２】
2011080259.tif 000004
【図３】
2011080259.tif 000005
【図４】
2011080259.tif 000006
【図６】
2011080259.tif 000007
【図７】
2011080259.tif 000008
【図５】
2011080259.tif 000009